(57)【特許請求の範囲】
【請求項１】
抜け止め部を介して伸縮自在に多段連結された複数本の中空ロッドにより構成されたアレイ本体部と、前記中空ロッドの縮退仕舞い時における各表出部に各別に配設されたマイクロホンユニットとで形成したことを特徴とするマイクロホンアレイ。
【請求項２】
前記中空ロッドのそれぞれは、その伸張設置時に隣り合った前記中空ロッド相互間に形成される重畳連結部位に軸周り方向への回転を阻止する回転阻止部を設けた請求項１に記載のマイクロホンアレイ。
【発明の詳細な説明】
【技術分野】
【０００１】
本発明は、複数個のマイクロホンユニットを異なる位置に取り付けてなるマイクロホンアレイに関する技術である。
【背景技術】
【０００２】
マイクロホンアレイは、下記特許文献１にも示されているように、複数個のマイクロホンユニットを平面または曲面に沿わせて並べ、同時に多点での音圧分布を測定する際などに従来から用いられてきている。
【特許文献１】特開２００４−３２３１４号公報
【発明の開示】
【発明が解決しようとする課題】
【０００３】
しかし、上記特許文献１を含む従来からあるマイクロホンアレイでは、複数個のマイクロホンユニットを適切な位置に設置しておく必要があることから、その設置作業や使用後の撤収作業に時間と労力とを要する不都合があるばかりでなく、不使用時にその全体をコンパクト化することができないことから仕舞い勝手が悪いなどの不具合もあった。
【０００４】
本発明は、従来技術の上記課題に鑑み、複数個のマイクロホンユニットを適切な位置に簡単に設置でき、撤収もコンパクト化して容易に行うことができるマイクロホンアレイを提供することに目的がある。
【課題を解決するための手段】
【０００５】
本発明は、上記目的を達成すべくなされたものであり、抜け止め部を介して伸縮自在に多段連結された複数本の中空ロッドにより構成されたアレイ本体部と、前記中空ロッドの縮退仕舞い時における各表出部に各別に配設されたマイクロホンユニットとで形成したことを最も主要な特徴とする。
【０００６】
この場合、前記中空ロッドのそれぞれは、その伸張設置時に隣り合った前記中空ロッド相互間に形成される重畳連結部位に軸周り方向への回転を阻止する回転阻止部を設けておくこともできる。
【発明の効果】
【０００７】
本発明によれば、伸縮自在に多段連結されてアレイ本体部を構成している個々の中空ロッドにマイクロホンユニットが各別に配設されているので、単にその全体を伸張することで適切な位置に個々のマイクロホンユニットを簡単に設置することができる。
【０００８】
また、伸張させて振り出し状態にある各中空ロッドは、縮退方向に単に仕舞うことで、その全体をコンパクト化して直ちに撤収作業を終了することができるほか、その運搬や収納も容易に行うことができる。
【０００９】
さらに、伸張設置時に隣接する中空ロッド相互間に確保される重畳連結部位に回転阻止部を設けてある場合には、軸周り方向への回転を阻止することで、適切な位置に設置してある各マイクロホンユニットの設置状態を安定的に持続させておくことができる。
【発明を実施するための最良の形態】
【００１０】
図１は、本発明の一例を示す説明図であり、そのうちの（ａ）は不使用時の仕舞い状態を、（ｂ）はマイクロホンユニットを設置した使用時の伸張状態をそれぞれ示す。同図によれば、マイクロホンアレイ１１は、抜け止め部１５を介して伸縮自在に３段連結された中空ロッドＲ（Ｒ１〜Ｒ３）により構成されたアレイ本体部１２と、中空ロッドＲ（Ｒ１〜Ｒ３）の縮退仕舞い時の各表出部１３に各別に配設されたマイクロホンユニットＭ（Ｍ１〜Ｍ４）とで形成されている。
【００１１】
すなわち、基端に位置する中空ロッドＲ１は、先端に位置する中空ロッドＲ３を納めた中間に位置する中空ロッドＲ２をさらに納めることで、その全体を縮退させて仕舞うことができるように形成されている。
【００１２】
このため、縮退仕舞い時に最も外側に鞘状となって位置することになる中空ロッドＲ１は、その全長方向にわたり表出部１３が形成されることになる。したがって、中空ロッドＲ１には、その後端部にマイクロホンユニットＭ１を、前端部にマイクロホンユニットＭ２をそれぞれ配設することができる。なお、中空ロッドＲ１には、図示例以外にも所望により、例えば３個以上のマイクロホンユニットＭを表出部１３の適宜位置に配設しておくこともできる。
【００１３】
また、中間に位置する中空ロッドＲ２と先端に位置する中空ロッドＲ３とは、縮退仕舞い時の表出部１３がそれぞれの前端部側に確保されることになる。したがって、中空ロッドＲ２には、マイクロホンユニットＭ３を、中空ロッドＲ３には、マイクロホンユニットＭ４ をそれぞれ配設することができる。
【００１４】
この場合、マイクロホンユニットＭ（Ｍ１〜Ｍ４）は、中空ロッドＲ（Ｒ１〜Ｒ３）に直付けしたり、図示例のように中空ロッドＲ（Ｒ１〜Ｒ３）に予め固着させてある保持片２３を介して着脱自在に取り付けたりすることができる。
【００１５】
また、中空ロッドＲ（Ｒ１〜Ｒ３）は、その伸張時に抜脱しないように抜け止め部１５を設けて連結させておく必要がある。図２は、その際の基端に位置する中空ロッドＲ１と中間に位置する中空ロッドＲ２とにおける抜け止め部１５の構造例を示す説明図であり、そのうちの（ａ）は縮退仕舞い時における状態を、（ｂ）は伸張使用時における状態をそれぞれ示す。また、図３は、重畳連結部位１９における抜け止め部１５と回転阻止部２５との関係を例示する拡大断面図である。
【００１６】
これらの図によれば、基端に位置する中空ロッドＲ１は、その前端開口を縮径させた縮径縁１６を備えて形成されている。また、中間に位置する中空ロッドＲ２は、中空ロッドＲ１の縮径縁１６から抜け出すのを阻止するための抜け止め金具１７をその後端部に備えている。なお、中空ロッドＲ１には、中空ロッドＲ２が後端部側から抜け落ちるのを阻止するための抜け止め金具１８が内在配置されている。
【００１７】
また、基端に位置する中空ロッドＲ１と中間に位置する中空ロッドＲ２とは、その伸張設置時に形成される重畳連結部位１９に軸周り方向への回転を阻止するための回転阻止部２５を備えている。
【００１８】
この場合、該回転阻止部２５は、基端に位置する中空ロッドＲ１がその前端部の内周面に備える突起部２０と、中間に位置する中空ロッドＲ２が備える抜け止め金具１７との間で形成されている。
【００１９】
すなわち、基端に位置する中空ロッドＲ１は、その前端部に位置する内周面の軸方向に等間隔をおいて平行に隆設された２条の突起部２０を備えている。
【００２０】
また、中間に位置する中空ロッドＲ２は、その後端部に位置する外周面に各突起部２０を案内することができるように二分割された一側抜け止め片１７ａと他側抜け止め片１７ｂとからなる抜け止め金具１７を備えている。
【００２１】
そして、一側抜け止め片１７ａと他側抜け止め片１７ｂとは、中間に位置する中空ロッドＲ２の対応部位に各別に形成されている通孔１４内にその一部を圧入して形成される押し込み部２１により中空ロッドＲ２側に一体化させることで、抜け止め金具１７として用いられることになる。
【００２２】
このようにして形成される回転阻止部２５は、図示は省略してあるが中間に位置する中空ロッドＲ２と先端に位置する中空ロッドＲ３との重畳連結部位１９にも同様にして形成されることになる。
【００２３】
なお、回転阻止部２５は、図示は省略してあるが、重畳連結部位１９を構成している一方の側にその軸方向を長さ方向とする突起部を、他方の側に該突起部を案内する溝部をそれぞれ設けることで形成することもできる。
【００２４】
次に、上記構成からなる本発明の作用・効果を具体的に説明すれば、マイクロホンアレイ１１は、その不使用時に中空ロッドＲ（Ｒ１〜Ｒ３）を縮退させることで、基端に位置する中空ロッドＲ１の略１本分強の長さにコンパクト化して仕舞うことができるので、直ちに撤収作業を終了することができるほか、その運搬や収納も容易に行うことができる。
【００２５】
また、マイクロホンユニットＭ（Ｍ１〜Ｍ４）を適切な位置に設置して使用しようとする際には、アレイ本体部１２を構成している中空ロッドＲ（Ｒ１〜Ｒ３）を単に適宜位置にまで個別に伸張させることで、簡単に行うことができる。
【００２６】
さらに、中空ロッドＲ（Ｒ１〜Ｒ３）を伸張させて設置した際に形成される重畳連結部位１９に回転阻止部２５を備えている場合には、軸周り方向への回転を阻止することで、適切な位置に設置してある各マイクロホンユニットＭ（Ｍ１〜Ｍ４）の設置状態を安定的に持続させておくことができる。
【００２７】
以上は、本発明を図示例に基づいて説明したものであり、その具体的な構成はこれに限定されるものではない。例えば、アレイ本体部１２は、４本以上の中空ロッドＲにより構成することもできる。また、中空ロッドＲ（Ｒ１〜Ｒ３）の抜け止め部１５は、図示例以外にも、例えばカメラの三脚に採用されているように、その伸張位置を螺着構造のもとで位置固定させることができるようにして形成することもできる。
【図面の簡単な説明】
【００２８】
【図１】本発明の一例を示す説明図であり、そのうちの（ａ）は不使用時の仕舞い状態を、（ｂ）はマイクロホンユニットを設置した使用時の伸張状態をそれぞれ示す。
【図２】基端に位置する中空ロッドと中間に位置する中空ロッドとにおける抜け止め部の構造例を示す説明図であり、そのうちの（ａ）は縮退仕舞い時における状態を、（ｂ）は伸張使用時における状態をそれぞれ示す。。
【図３】中空ロッドの重畳連結部位における抜け止め部と回転阻止部との関係を例示する拡大断面図。
【符号の説明】
【００２９】
１１  マイクロホンアレイ
１２  アレイ本体部
１３  表出部
１４  通孔
１５  抜け止め部
１６  縮径縁
１７  抜け止め金具
１７ａ  一側抜け止め片
１７ｂ  他側抜け止め片
１８  抜け止め金具
１９  重畳連結部位
２０  突起部
２１  押し込み部
２３  保持片
２５  回転阻止部
Ｍ（Ｍ１〜Ｍ４）  マイクロホンユニット
Ｒ（Ｒ１〜Ｒ３）  中空ロッド
【図１】
0005025011.tif 000002
【図２】
0005025011.tif 000003
【図３】
0005025011.tif 000004